(57)【要約】      （修正有）【課題】斜めに積層された複数の名刺が収納することができる収納部から、簡単な操作により必要に応じて一枚づつ取り出せる名刺入れを提供する。【解決方法】  複数の名刺を斜めに積層状態に収容することができる収容部を持った名刺入れで、その名刺入れの底面の中心部上部に名刺を押し上げる切込みを設け、その押上げ部を指で上方向に押し上げ名刺が上に反りかえり、取り出しやすくし、且つ名刺を上方向に１枚だけ他の指で滑らせ、容易に名刺を取り出せ、又蓋部に受け取った名刺を収納する収納部を設けたことを特徴とする取り出しやすい名刺入れ。【選択図】図１
0003130043.tif 000002
【実用新案登録請求の範囲】
【請求項１】
蓋付きの名刺入れで、複数の名刺を積層状態にして収納する箱状の収納部を設けた名刺入れであって、その収納部の容器の上部・下部の斜めの移動板により複数の名刺は斜めに収納された名刺入れを形成し、底面の中心部上側に名刺を押し上げる切込みを設け、上部立ち上部に名刺を取りやすくする切り込みを設けた取り出しやすい名刺入れ。
【請求項２】
箱状の名刺入れで、斜め積層状態に収納されている収納部の底面の名刺押し上げ部を指で上方向に押あげることで、名刺が１枚、上方向に押し出され上方に反り、カット部で取り出しやすい請求項１記載の取り出しやすい名刺入れ。
【請求項３】
名刺入れの名刺収納部が斜め積層状に収納されている請求項１〜２記載の取り出し安やすい名刺入れ。
【請求項４】
蓋の部分に受け取った名刺を入れる収納部を設けた請求項１〜３記載の取り出しやすい名刺入れ。
【考案の詳細な説明】
【技術分野】
【０００１】  本考案は、名刺入れから、名刺を１枚づつ確実に取り出し易いようにした名刺入れに関する。
【背景技術】
【０００２】    従来、名刺入れは樹脂製、皮製、布製等の財布タイプの名刺入れとアルミ製の名刺入れ等各種あるが、名刺を入れる収納部と、この収納部の開口部を覆う蓋を有して二つ折りで、蓋を開けて多数の名刺の中から１枚づつ取り出しているが、同時に２〜３枚一緒に取り出すことが多く、その中から１枚を相手に差し出し、同時に相手からも名刺をもらうのが一般的である。近年１枚づつ取り出せるいろいろの構造のものが出始めている。
例えば、特許文献１  特開２００１−２６１０７９号公報。
特許文献２  実登３１９８６０号公報。
特許文献３  特開２０００−２１１２８３号公報
【考案の開示】
【考案が解決しようとする課題】
【０００３】  それには次のような問題点があった。
上述のように従来の名刺入れでは、名刺を複数枚取り出してしまい、名刺を確実に１枚づつ取り出しやすく、しかも構造が簡単で取り出せる名刺入れはなく、工夫もされていない。又従来の名刺入れは皮製、布製が主流で名刺入れの素材が弱軟で、名刺の角が折れる等の問題点もあった。【０００４】  本考案は、従来の名刺入れの取り出す不便さを解決するために提案されたものであり、その目的は収納部に入れた名刺を斜めに積層状態に収納する構造にすることで、必然的に名刺１枚１枚がずれて、取りやすい状態を作り出すようにした名刺入れを提供することを目的としている。
【問題を解決するための手段】
【０００５】  蓋付きの長方形の名刺が入る大きさの名刺入れ本体１を設け、本体の底面に名刺を押し上げる切込み２を本体１の底面中心部上部に設け、本体１の上面下部に名刺ポケット６を設け、その一部半円形の前方向に移動口５を設ける。そして本体の上部に切り込み窓口４と移動板３を斜めに設け、本体１の名刺ポケット６の下部に滑り止め加工１３をした移動板７を斜めに取り付ける。又、本体１の底面左側にマグネット留め具受８を設ける。これにより名刺押し上げ切り込みを指で押し上げ、移動板３又は移動板７により斜め積層状態の名刺の一番上の名刺が上方に反るため、簡単に１枚取り出せる。他方、蓋の裏側に受け取った名刺入れ９を設け、その名刺入れ９の上部に取り出しやすいカットを入れる。名刺入れの各サイドには伸び縮みする布１４で名刺を押え、蓋の中心部外側に入れ物止め１１とマグネット止め具受１２を設ける。以上を特徴とする取り出しやすい名刺入れ。
【考案の効果】
【０００６】  二つ折りの名刺入れで、名刺収納部の中の名刺を確実に１枚取り出すために、収納部の前後に斜めに移動板を設けたことにより、あらかじめ取り出しやすくするため斜めの積層構造に収納されており、底部の切り込みを指で押しこむことで、名刺が収納部から上に反った状態になるため１枚だけつかみ容易に取りやすくなる効果が大いに期待できる。
【考案を実施するための最良の形態】
【０００７】  以下、本考案の実施の形態を説明する。
（イ）折りたたみ式で蓋付きの長方形の箱型で名刺を複数枚収納できる収納部本体１を設ける。
（ロ）その収納部に上部移動板３と下部移動板７を斜めに取り付ける。
（ハ）箱型の収納部、底面上部に名刺押し上げ切り込み２を設ける。
（ニ）箱型の収納部上部立ち上げ部に切り込み窓口４を設ける。
（ホ）箱型の収納部に一部を円形に取り出しやすくカット５に欠いた名刺ポケット６を設ける。
（ヘ）箱型の収納部の底面中央部片側にマグネット留め具受け８を設ける。
（ト）蓋の裏側に相手から受け取った名刺入れ９を設け、その上部の一部を名刺が取りやすくカット１０を設ける。
（チ）蓋の中心部外側に入れ物止め１１を設け、その入れ物止めに、マグネット止め具１２を取付ける。
（リ）受け取った名刺入れ９は両サイドが伸び縮みする布で入れた名刺を抑える１４を設ける。
本考案は、以上のような構成よりなっている。
【図面の簡単な説明】
【０００８】
【図１】本考案の開いた斜視図
【図２】本考案の正面図
【図３】本考案の底面図
【図４】本考案の右側面図
【図５】本考案の正面断面図
【図６】本考案のカバーをした斜視図
【符号の説明】
【０００９】  １  本考案の本体
２  名刺押し上げ切り込み
３  移動板（上部）
４  切り込み窓口
５  前方向へ移動口
６  名刺ポケット
７  移動板（下部）
８  マグネット留め具受け
９  受け取った名刺入れ
１０  取り出しやすくカット
１１  入れ物と止め
１２  マグネット止め具
１３  ７の移動板にスベリ止め加工
１４  両サイド延び縮みする布で、入れた名刺を抑える
【図１】
0003130043.tif 000003
【図２】
0003130043.tif 000004
【図３】
0003130043.tif 000005
【図４】
0003130043.tif 000006
【図５】
0003130043.tif 000007
【図６】
0003130043.tif 000008
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
蓋付きの名刺収納ケースで，その収納ケースの長手方向各側に移動板を斜めに設け、複数の名刺を挿入時に斜め移動板に沿って積層状態で収納した取出しやすい名刺入れ。
【請求項２】
蓋付きの名刺収納ケースの底面の中心部の上側に斜めに収納されている複数の名刺を片方だけ押し上げる切り込みと名刺ポケット部に１番上の名刺を取出し方向に押し上げる切込みを設けた請求項１記載の取出しやすい名刺入れ。
【請求項３】
蓋の部分に受け取った名刺を入れる収納部を設け、その収納部を延び縮みする布で名刺を抑える請求項１または２記載の取出しやすい名刺入れ。
【請求項４】
蓋付きの名刺収納ケースの蓋をマグネットで止めた取出しやすい名刺入れ。
【手続補正書】
【提出日】平成18年12月6日(2006.12.6)
【手続補正１】
【補正対象書類名】実用新案登録請求の範囲
【補正対象項目名】全文
【補正方法】変更
【補正の内容】
【実用新案登録請求の範囲】
【請求項１】
蓋付きの名刺収納ケースで，その収納ケースの長手方向各側に移動板を斜めに設け、複数の名刺を挿入時に斜め移動板に沿って積層状態で収納した取出しやすい名刺入れ。
【請求項２】
蓋付きの名刺収納ケースの底面の中心部の上側に斜めに収納されている複数の名刺を片方だけ押し上げる切り込みと名刺ポケット部に１番上の名刺を取出し方向に押し上げる切込みを設けた請求項１記載の取出しやすい名刺入れ。
【請求項３】
蓋の部分に受け取った名刺を入れる収納部を設け、その収納部を延び縮みする布で名刺を抑える請求項１または２記載の取出しやすい名刺入れ。
【請求項４】
蓋付きの名刺収納ケースの蓋をマグネットで止めたことを特徴とする請求項１記載の取出しやすい名刺入れ。